(57)【要約】【課題】パネル部材への取り付け、取り外しが容易で、省スペース化が可能な電子機器の取付装置を提供する。【解決手段】電子機器１の後部ケース４をパネル部材Ｐの開口Ｋに挿通した状態で、取付具２の第２係合部材１２のキー部２５を電子機器１の係合孔部６に係合するとともに、第１係合部材１１を電子機器１の被係合部５に当てて、取付具２を前方向へ移動させ、取付具２の押圧部材１３と電子機器１の前部ケース３との間でパネル部材Ｐを挟んで押圧した状態で、第１係合部材１１が被係合部５の被係合要素７に係合する。【選択図】図２
2008263058.tif 000002
【特許請求の範囲】
【請求項１】
後部ケースが前部ケースよりも縦・横寸法がともに小さい２段構造からなる電子機器の該後部ケースをパネル部材の開口に挿通した状態で、この電子機器をパネル部材に取り付け固定する電子機器の取付装置であって、
電子機器の後部ケースの相対向する少なくとも一対の側面の、それぞれに設けられた前後方向に並んだ複数の被係合要素をもつ被係合部と、後部ケースの側壁を貫通した係合孔部と、第１係合部材、第２係合部材および押圧部材を有して、後部ケースの前記側面に各別に取り付けられる取付具とを備え、
前記第１係合部材は、電子機器の前記被係合部のいずれか１つの被係合要素と係合して取付具の後方への移動を阻止し、前方への移動を許容する爪部を有し、
前記第２係合部材は、電子機器の前記係合孔部に前後方向に移動自在で、前記側壁と直交する方向に移動不能に係合するキー部を有し、
前記押圧部材は、パネル部材に当接する当接部を有し、押圧部材の弾性力により、前記当接部と電子機器の前記前部ケースとの間でパネル部材を挟持するように設定されてなる、電子機器の取付装置。
【請求項２】
請求項１において、
電子機器の前記係合孔部が、前後方向に長い長孔と、この長孔に連通し、前記第２係合部材のキー部を挿入させて前後方向への移動を許容するキー孔とを有している、電子機器の取付装置。
【請求項３】
請求項２において、
前記係合孔部のキー孔が前後方向に離間して複数設けられ、これに対応して、前記第２係合部材のキー部が前後方向に離間して複数設けられている、電子機器の取付装置。
【請求項４】
請求項１〜３のいずれか１項において、
前記被係合部および係合孔部が前記後部ケースの前記一対の側面に設けられ、これに対応して、前記取付具が一対配置され、両取付具は、同一形状を有し、かつ、前後方向軸を中心に互いに１８０°回転して配置されている、電子機器の取付装置。
【請求項５】
請求項１〜３のいずれか１項において、
前記被係合部および係合孔部が前記後部ケースの前記一対の側面に設けられ、これに対応して、前記取付具が一対配置され、両取付具の形状が左右対称である、電子機器の取付装置。
【請求項６】
請求項１〜５のいずれか１項において、
前記被係合部が前記後部ケースの側面に前後方向と直交する方向に離間して複数設けられ、これに対応して、取付具の前記第１係合部材が前記直交する方向に離間して複数設けられている、電子機器の取付装置。
【請求項７】
請求項１において、
前記取付具は、前後方向に延びて先端に前記爪部が設けられ、この爪部を係合方向に弾性力を付加する第１本体部を有し、この第１本体部に、第１本体部の弾性力に抗して操作されて爪部と前記被係合部との係合を解除する解除操作部が設けられている、電子機器の取付装置。
【発明の詳細な説明】
【技術分野】
【０００１】
本発明は、電子機器を制御盤などのパネル部材に取り付け固定する電子機器の取付装置に関する。
【背景技術】
【０００２】
一般に、表示器、コントローラまたはセンサコントローラ（光電センサ等）のような電子機器のケースは、フロントパネルのような前部ケースと、前部ケースよりも縦横寸法がともに小さいコントロール部のような後部ケースの２段構造からなる。この電子機器を制御盤などのパネル部材の開口に取り付けるには、後部ケースをパネル部材の開口に挿入した状態で、後部ケースにパネル取付用板を取り付け、このパネル取付用板をパネル部材にねじ止め等により、電子機器をパネル部材に固定していたが、この取り付けおよび取り外し作業が煩雑であった。
【０００３】
このため、従来の電子機器の取付装置の一例として、電子機器の後部ケースに一体構造の枠状のものを装着してパネル部材に取り付けるものが知られている（例えば、特許文献１参照）。
【特許文献１】特開２００４−２０７２８３号公報
【発明の開示】
【発明が解決しようとする課題】
【０００４】
しかし、上記電子機器の取付構造は、電子機器の後部ケースにまず係合部形成部材を装着し、さらに後部に一体構造の枠状の電子機器取付装置を装着するため、取付構造が複雑で、パネル部材への取り付けが困難であり、依然として取り付け作業が煩雑であった。
【０００５】
また、上記電子機器の取付装置が一体構造の枠状であるため、電子機器の取付スペースが大きくなり、省スペース化が図れないという問題もあった。特に、多数の電子機器をパネル部材に取り付けるときに問題となる。
【０００６】
本発明は、前記問題点を解決して、パネル部材への取り付け、取り外しが容易で、省スペース化が可能な電子機器の取付装置を提供することを目的とする。
【課題を解決するための手段】
【０００７】
前記目的を達成するために、本発明にかかる電子機器の取付装置は、後部ケースが前部ケースよりも縦・横寸法がともに小さい２段構造からなる電子機器の該後部ケースをパネル部材の開口に挿通した状態で、この電子機器をパネル部材に取り付け固定するものであって、電子機器の後部ケースの相対向する少なくとも一対の側面の、それぞれに設けられた前後方向に並んだ複数の被係合要素をもつ被係合部と、後部ケースの側壁を貫通した係合孔部と、第１係合部材、第２係合部材および押圧部材を有して、後部ケースの前記側面に各別に取り付けられる取付具とを備え、前記第１係合部材は、電子機器の前記被係合部のいずれか１つの被係合要素と係合して取付具の後方への移動を阻止し、前方への移動を許容する爪部を有し、前記第２係合部材は、電子機器の前記係合孔部に前後方向に移動自在で、前記側壁と直交する方向に移動不能に係合するキー部を有し、前記押圧部材は、パネル部材に当接する当接部を有し、押圧部材の弾性力により、前記当接部と電子機器の前記前部ケースとの間でパネル部材を挟持するように設定されてなる。
【０００８】
この構成によれば、電子機器の後部ケースをパネル部材の開口に挿通した状態で、取付具の第２係合部材のキー部を電子機器の係合孔部に係合するとともに、第１係合部材を電子機器の被係合部に当てて、取付具を前方向へ移動させ、取付具の押圧部材と電子機器の前部ケースとの間でパネル部材を挟んで押圧した状態で、第１係合部材が被係合部の被係合要素に係合する。これにより、電子機器が厚さの異なるパネル部材に強固に取り付けられるとともに、電子機器のパネル部材への取り付け、取り外しが容易になる。また、電子機器の側面に取付具を装着する構造であり、電子機器を囲む枠体を必要としないから、省スペース化が可能となる。
【０００９】
好ましくは、電子機器の前記係合孔部が、前後方向に長い長孔と、この長孔に連通し、前記第２係合部材のキー部を挿入させて前後方向への移動を許容するキー孔とを有している。したがって、キー部をキー孔から長孔に挿入して移動させることにより、第２係合部材を容易に被係合部に係合できる。
【００１０】
好ましくは、前記係合孔部のキー孔が前後方向に離間して複数設けられ、これに対応して、前記第２係合部材のキー部が前後方向に離間して複数設けられている。したがって、取付具を電子機器に安定して取り付けることができる。
【００１１】
好ましくは、前記被係合部および係合孔部が前記後部ケースの前記一対の側面に設けられ、これに対応して、前記取付具が一対配置され、両取付具は、同一形状を有し、かつ、前後方向軸を中心に互いに１８０°回転して配置されている。この場合、取付具が一種類となるので、低コスト化を図ることができる。また、両取付具の形状を左右対称としてもよい。この場合、電子機器側の被係合部および係合孔部を同一形状にできる。
【００１２】
好ましくは、電子機器の係合面部が後部ケースの側面に前後方向に直交する方向に離間して複数設けられ、これに対応して、取付具の第１係合部材が前後方向に直交する方向に離間して複数設けられている。したがって、取付具を電子機器に安定して取り付けることができる。
【００１３】
好ましくは、前記取付具は、前後方向に延びて先端に前記爪部が設けられ、この爪部を係合方向に弾性力を付加する第１本体部を有し、この第１本体部に、第１本体部の弾性力に抗して操作されて爪部と前記被係合部との係合を解除する解除操作部が設けられている。したがって、取付具の取り外しが容易となる。
【発明を実施するための最良の形態】
【００１４】
以下、本発明の実施形態を図面にしたがって説明する。
図１は、本発明の一実施形態に係る電子機器の取付装置を示す概略斜視図であり、図２は、その部分拡大図である。図１において、電子機器１は例えば光電センサおよびカメラを制御するコントローラであり、前部ケース３とこれよりも縦・横寸法がともに小さい後部ケース４とをもつ２段構造となっている。この電子機器１の該後部ケース４をパネル部材Ｐの開口Ｋに挿通した状態で、後部ケース４に取付具２を装着して、電子機器１をパネル部材Ｐに取り付ける。パネル部材Ｐは、例えば制御盤の蓋であり、その表側に電子機器１の前部ケース３を露出させ後部ケース４を裏側に突出させて、制御盤内に位置させる。
【００１５】
電子機器２には、取付具２を装着する構造として、後部ケース４の相対向する少なくとも一対、例えば左右一対の側面（外壁面）４ａ、４ｂに、それぞれ被係合部５と係合孔部６とが設けられている。
【００１６】
図２のように、被係合部５は、凹所１０内に前後方向Ｘに並んだ複数の被係合要素７を有し、電子機器１の後部ケース４の側面４ａに前後方向Ｘと直交する方向（縦方向）に離間した配置で、複数、例えば２つ設けられている。被係合要素７は、この例では縦方向に延びた突起である。右側の側面４ｂでも図示しない被係合部５が同様に設けられている。
【００１７】
また、係合孔部６は、前後方向Ｘに延びて後部ケース４の側壁を貫通した長孔８および長孔８の上縁に連通したキー孔９をもち、このキー孔９は、前後方向Ｘに離間して複数、例えば２つ設けられている。
【００１８】
図１の取付具２は、上下一対の第１係合部材１１、単一の第２係合部材１２および上下一対の押圧部材１３を備えて、後部ケース４の側面４ａ、４ｂに１つずつ装着される。取付具２は例えば樹脂製であり、第１係合部材１１、第２係合部材１２および押圧部材１３が一体成形されているが、各部材をばね鋼のような金属製としてもよい。一対の取付具２、２は同一形状であるが、前後方向軸Ｘ３を中心に互いに１８０°回転した関係、つまり上下逆の関係にある。このように、取付具２、２が一種類であるから、取付具２の低コスト化が可能となる。
【００１９】
図２における電子機器１の左側の側面４ａでは、係合孔部６のキー孔９が長孔８の上縁に連通して設けられているが、図示しない右側の側面４ｂではキー孔９が長孔８の下縁に連通して設けられている。上記したように、取付具２は一種類であるので、左右で取付具２を上下逆にして装着するので、キー孔９も左右で上下逆になっている。なお、取付具２、２を、左右対称の形状としてもよく、その場合には、左右両側面４ａ、４ｂの係合孔部６が同一形状となる。
【００２０】
図２の第１係合部材１１は、電子機器１の被係合部５の複数の被係合要素７の一部と係合する先端の爪部２１と、前後方向Ｘに延びて、その先端に前記爪部２１が設けられた第１本体部２２とを有して、被係合部５に係合した状態で、第１本体部２２自身がもつ弾性復帰力により、爪部２１が被係合要素７に係合する方向（後部ケース４の内側）に押圧されている。
【００２１】
上述した電子機器１の縦方向に離間して配置された２つの係合面部５に応じて、取付具２の第１係合部材１１が２つ縦方向に離間して配置されている。これにより、取付具２を電子機器１に安定して装着することができる。
【００２２】
被係合部５の被係合要素７の形状は、図３に示すように、前側の傾斜面７ａが側面４ａに対して例えば９０°のような急な角度を有し、後側の傾斜面７ｂが例えば４５°のような緩やかな角度を有する。このため、取付具２が前方向Ｘ１に押し込まれると、爪部２１は外側（図３の上方向）に撓みながら被係合要素７の後側の緩やかな傾斜面７ｂを順次乗り越えるため、取付具２の前方向Ｘ１への移動が可能となる。その一方、取付具２の後方向Ｘ２への移動は、爪部２１が被係合要素７の前側の急な傾斜面７ａに食い込むため、その移動が阻止される。
【００２３】
図２に示す電子機器１の被係合部５の複数の被係合要素７は、パネル部材Ｐの厚みに応じて所定数に設定されている。したがって、取付具２は多種類の厚みのパネル部材Ｐに対応することができる。また、取付具２の第１係合部材１１の先端における爪部２１の反対側（電子機器１に対して外側）には、後述する第１係合部材１１の係合を解除するための解除操作部２３が設けられている。
【００２４】
第２係合部材１２は、指でつかむ胴部２０と、胴部２０の内側（電子機器１側）に突出して設けられ、電子機器１の側壁４０を貫通した長孔８に挿入されてこれに沿って移動自在な突片部２４と、突片部２４の先端に設けられて、キー孔９から挿入され、取付具２が前方向Ｘ１に移動することにより、側壁４０の裏面に係合するキー部２５とを有しており、突片部２４とキー部２５とで、図４に示すように、Ｌ字状を呈している。キー部２５が側壁４０の裏面に係合した状態で、図３の第１本体部２２が撓んで第１本体部２２の弾性復帰力により、爪部２１が被係合要素７に押圧されて係合する。また、この弾性復帰力により、取付具２の全体に外側（図４の左側）へ電子機器１からの反力が作用するので、キー部２５が側壁４０の裏面に圧接される。図４に示すように、胴部２０とキー部２５とが後部ケース４の側壁４０を挟む形となり、取付具２が前後方向Ｘには移動可能であるが、横方向Ｙには移動不能となる。
【００２５】
上述した図２の電子機器１の前後方向Ｘに離間して配置された２つのキー孔９に応じて、取付具２の第２係合部材１２には、２つのキー部２５が前後方向Ｘに離間して配置されている。これにより、取付具２を電子機器１に安定して係合することができる。
【００２６】
取付具２の押圧部材１３は、第１係合部材１１の根元部から上下方向に延びるアーム部２６と、このアーム部２６の先端に設けられて、パネル部材Ｐが当接する当接部２７とを有しており、取付具２が電子機器１の所定位置に装着された状態で、アーム部２６の弾性復帰力により当接部２７がパネル部材Ｐに押圧されるようになっている。
【００２７】
図５（Ａ）、（Ｂ）に電子機器１の取付装置の取付状態を示す。取付具２は図５（Ａ）の電子機器１の後部ケース４に、第２係合部材１２で横方向Ｙに移動不能に支持された状態で、図５（Ｂ）のように、押圧部材１３の当接部２７がパネル部材Ｐを押圧するまで、前方向Ｘ１に押し込み、第１係合部材１１の爪部２１と被係合要素７との係合により後方向Ｘ２への移動が阻止されて、この押圧状態が維持される。これにより、押圧部材１３と電子機器１の前部ケース３との間でパネル部材Ｐが挟持されて、電子機器１がパネル部材Ｐに強固に取り付けられる。
【００２８】
上記構成の取付具２による電子機器１の取り付け、取り外し時の動作を以下に説明する。取付具２は、電子機器１の側面４ａ、４ｂに順次取り付け、順次取り外されてもよいし、同時に取り付け、取り外されてもよい。
【００２９】
（取り付け時）
まず、図１のパネル部材Ｐの開口Ｋにパネル部材Ｐの表側から電子機器１の後部ケース４を挿入し、この後部ケース４の両側面４ａ、４ｂに取付具２を装着する。取付具２の装着にあたっては、図２に示す第２係合部材１２の胴部２０を指でつかみ、そのキー部２５と電子機器１の係合孔部６のキー孔９とを合致させた状態で、取付具２を前方向Ｘ１に押し込むことにより、キー部２５がキー孔９から離れた長孔８の上縁で側壁４０の内面と係合して、第２係合部材１２が電子機器１に対して横方向Ｙの外側に移動不能に係合される。これと同時に、上記した第１係合部材１１の爪部２１と電子機器１の被係合要素７とが係合される。このとき、第２係合部材１２と電子機器１との係合によって、第１係合部材１１が外側に撓むように設定されており、その結果、爪部２１が被係合要素７に押圧されて係合する。
【００３０】
この状態で、爪部２１が被係合要素７により後方向Ｘ２への移動が阻止され、押圧部材１３がパネル部材Ｐを電子機器１の前部ケース３に押し付けることで、電子機器１をパネル部材Ｐに強固に取り付ける。取付具２の縦方向（上下方向）Ｚの位置決めは、第２係合部材１２の突片部２４が係合孔部６の長孔８に上下縁で規制されることによりなされる。
【００３１】
（取り外し時）
まず、取付具２の第１係合部材１１の解除操作部２３を指で外側へ押し上げることにより、爪部２１が電子機器１の被係合要素７から引き上げられると、第１係合部材１１と電子機器１の係合が解除される。この状態で、取付具２を後方向Ｘ２に移動し、第２係合部材１２のキー部２５が電子機器１の係合孔部６のキー孔９に合致する場所で、第２係合部材１２のキー部２５をキー孔９から取り出すことにより、取付具２を電子機器１から取り出す。
【００３２】
こうして、本発明によれば、取付具２の押圧部材１３と電子機器１の前部ケース３との間でパネル部材Ｐを挟持することにより、電子機器１をパネル部材Ｐに取り付けるので、従来のように、取付具が一体構造の枠状のため取付構造が複雑でパネル部材への取り付けが困難であったのと異なり、パネル部材Ｐへの取り付け、取り外しが容易で、また、枠体がないことから省スペース化が可能となる。
【００３３】
なお、この実施形態では、２つの取付具２を電子機器１の左右の側面４ａ、４ｂに配置して、電子機器１を取り付け固定しているが、上下の側面で取り付けるようにしてもよい。また、必要に応じて、左右上下の４つの側面で４つの取付装置２により取り付けるようにしてもよい。さらに、１つの側面に複数の取付具２を装着するようにしてもよい。
【００３４】
なお、この実施形態では、電子機器１のキー孔９が複数設けられ、これに対応して取付装置１の第２係合部材１２のキー部２５が複数設けられているが、各１つでもよい。
【００３５】
また、電子機器１の被係合部５が後部ケース４の側面に複数設けられ、これに対応して取付装置２の第１係合部材１１が複数設けられているが、各１つでもよい。
【００３６】
なお、この実施形態では、電子機器として光電センサ・カメラコントローラを例示しているが、これに限定されるものではなく、検出器、測定器、表示器、それらの電源部（増幅器）などにも本発明を適用できる。
【図面の簡単な説明】
【００３７】
【図１】本発明の一実施形態に係る電子機器の取付装置を示す概略斜視図である。
【図２】図１の部分拡大図である。
【図３】第１係合部材と被係合部の係合状態を示す側面図である。
【図４】第２係合部材と係合孔部の係合状態を示す一部断面図である。
【図５】（Ａ）は電子機器の取付装置の取付状態を示す斜視図であり、（Ｂ）はその側面図である。
【符号の説明】
【００３８】
１：電子機器
２：取付具
３：前部ケース
４：後部ケース
５：被係合部
６：係合孔部
７：被係合要素
８：長孔
９：キー孔
１１：第１係合部材
１２：第２係合部材
１３：押圧部材
２１：爪部
２２：第１本体部
２３：解除操作部
２４：突片部
２５：キー部
２６：アーム部
２７：当接部
４０：側壁
Ｋ：開口
Ｐ：パネル部材
【図１】
2008263058.tif 000003
【図２】
2008263058.tif 000004
【図３】
2008263058.tif 000005
【図４】
2008263058.tif 000006
【図５】
2008263058.tif 000007